(57)【要約】      （修正有）【課題】部品点数を極力少なくするとともに装置の小型化を図る。【解決手段】ドアクローザ用ストップ装置１０のストップ機構２０は、ブラケット１に対するリンク３の回転動作の中心軸線α方向に開口する開口部２１ａを備える機構本体部２１と、機構本体部２１が備える開口部２１ａの内周面に形成されたセレーション２１ｂに噛み合うことで位置決め固定されるセレーション軸２２と、セレーション軸２２の略中空円筒形状の中空内部に貫通して設けられるとともに、ブラケット１が固定接続されるストップ軸２３とを備える。ストップ軸２３は、ブラケット１に対するリンク３の回転動作の中心軸線α方向に直交する方向に開口した貫通孔２３ａを有し、当該貫通孔２３ａ内に設置された１つの弾性体２４と、一対の係止部材２５とを備える。セレーション軸２２は、略中空円筒形状の中空内部に一対の係止部材２５が係止可能な一対の係止凹部を備える。【選択図】図３
2018119258.tif 000002
【特許請求の範囲】
【請求項１】
ドアの枠体に取り付けられるブラケットと、
前記ドアに取り付けられるドアクローザ本体に対して回転可能に設けられるアームに接続するリンクと、
前記ブラケットと前記リンクとの連結部分に設けられる枢着部と、
を備え、
前記枢着部は、ストップ機構を有し、
前記ストップ機構によって、前記ブラケットに対して回転自在に設けられる前記リンクが所定の位置で回転動作を停止するように構成されるドアクローザ用ストップ装置において、
前記ストップ機構は、
前記リンクに固定接続するとともに、前記ブラケットに対する前記リンクの回転動作の中心軸線方向に開口する開口部を備える機構本体部と、
前記機構本体部が備える前記開口部の内周面に形成された第一の係止部に噛み合うことで位置決め固定される略中空円筒形状をした係止軸と、
前記係止軸の略中空円筒形状の中空内部に貫通して設けられるとともに、前記ブラケットが固定接続されるストップ軸と、
を備え、
前記ストップ軸は、前記ブラケットに対する前記リンクの回転動作の中心軸線方向に直交する方向に開口した貫通孔を有するとともに、当該貫通孔内に設置された１つの弾性体と、当該弾性体の両端部に配置された一対の係止部材とを備え、
前記係止軸は、略中空円筒形状の中空内部に前記一対の係止部材が係止可能な一対の係止凹部を備えることを特徴とするドアクローザ用ストップ装置。
【請求項２】
請求項１に記載のドアクローザ用ストップ装置において、
前記機構本体部が備える前記開口部の内周面に形成された第一の係止部がセレーションとして構成され、
前記第一の係止部に噛み合うことで位置決め固定される略中空円筒形状をした前記係止軸の軸表面には、前記第一の係止部に噛み合う第二の係止部としてのセレーションが形成されていることを特徴とするドアクローザ用ストップ装置。
【発明の詳細な説明】
【技術分野】
【０００１】
本発明は、ドアを所望の開度で停止させるためのドアクローザ用ストップ装置に関するものである。
【背景技術】
【０００２】
従来から、ドアを所望の開度で停止させるためのドアクローザ用ストップ装置が公知である。この種のストップ装置は、ドアクローザを構成する装置として用いられており、例えば、ドアの枠体に固定されるブラケットを有し、リンクおよびアームを介してドアに固定されるドアクローザ本体に連結され、ドアの開閉動作に連動して相対回転するブラケットとリンクとの連結部分にストップ装置が設けられている。
【０００３】
そして、ドアクローザ用ストップ装置における停止機構が従来から種々提案されている。例えば、下記特許文献１には、ドアクローザ用ストップ装置であるドアクローズ用のドアの掛り装置が開示されており、この装置は、ドアクローズのアームと連結する回転体の作動室の上部に、掛り用ボールがスプリングにより弾性的に保持されており、ドア枠に取り付けた支持体の底面には、円形の線上に沿って配した長い案内溝と掛り孔とを形成して、前記の回転体を支持体において回転可能に配した構成を有するものである。また、かかる構成を備えることで、下記特許文献１に記載された発明は、ドアを開放しておきたい場合には必要に応じていろいろの角度で開放しておくことができ、また、左右の区別なく使用でき、さらに、掛りと掛り解除の作動が円滑になされる、といった効果を得ることができるとされている。
【先行技術文献】
【特許文献】
【０００４】
【特許文献１】特許第２９６７４８５号公報
【発明の概要】
【発明が解決しようとする課題】
【０００５】
しかしながら、上掲した特許文献１に係るドアクローザ用ストップ装置（ドアクローズ用のドアの掛り装置）では、係止部材（ボール）の数だけバネが必要となる構成であるため、部品点数が増加して装置が大型化してしまう課題が存在していた。つまり、部品点数の増加と装置の大型化は、製造コストの増大にもつながるため、当該技術分野では、部品点数を極力少なくするとともに装置の小型化を図ることができるドアクローザ用ストップ装置が求められていた。
【０００６】
本発明は、上述した従来技術に存在する課題に鑑みて成されたものであり、その目的は、部品点数を極力少なくするとともに装置の小型化を図ることができる新たなドアクローザ用ストップ装置を提供することにある。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明に係るドアクローザ用ストップ装置（１０）は、ドア（Ｄ）の枠体（Ｗ）に取り付けられるブラケット（１）と、前記ドア（Ｄ）に取り付けられるドアクローザ本体（２）に対して回転可能に設けられるアーム（４）に接続するリンク（３）と、前記ブラケット（１）と前記リンク（３）との連結部分に設けられる枢着部（Ａ）と、を備え、前記枢着部（Ａ）は、ストップ機構（２０）を有し、前記ストップ機構（２０）によって、前記ブラケット（１）に対して回転自在に設けられる前記リンク（３）が所定の位置で回転動作を停止するように構成されるドアクローザ用ストップ装置（１０）であって、前記ストップ機構（２０）は、前記リンク（３）に固定接続するとともに、前記ブラケット（１）に対する前記リンク（３）の回転動作の中心軸線（α）方向に開口する開口部（２１ａ）を備える機構本体部（２１）と、前記機構本体部（２１）が備える前記開口部（２１ａ）の内周面に形成された第一の係止部（２１ｂ）に噛み合うことで位置決め固定される略中空円筒形状をした係止軸（２２）と、前記係止軸（２２）の略中空円筒形状の中空内部に貫通して設けられるとともに、前記ブラケット（１）が固定接続されるストップ軸（２３）と、を備え、前記ストップ軸（２３）は、前記ブラケット（１）に対する前記リンク（３）の回転動作の中心軸線（α）方向に直交する方向に開口した貫通孔（２３ａ）を有するとともに、当該貫通孔（２３ａ）内に設置された１つの弾性体（２４）と、当該弾性体（２４）の両端部に配置された一対の係止部材（２５）とを備え、前記係止軸（２２）は、略中空円筒形状の中空内部に前記一対の係止部材（２５）が係止可能な一対の係止凹部（２２ａ）を備えることを特徴とするものである。
【０００９】
また、本発明に係るドアクローザ用ストップ装置（１０）では、前記機構本体部（２１）が備える前記開口部（２１ａ）の内周面に形成された第一の係止部（２１ｂ）がセレーションとして構成され、前記第一の係止部（２１ｂ）に噛み合うことで位置決め固定される略中空円筒形状をした前記係止軸（２２）の軸表面には、前記第一の係止部（２１ｂ）に噛み合う第二の係止部（２２ｂ）としてのセレーションが形成されていることとすることができる。
【発明の効果】
【００１０】
本発明によれば、部品点数を極力少なくするとともに装置の小型化を図ることができる新たなドアクローザ用ストップ装置を提供することができる。
【図面の簡単な説明】
【００１１】
【図１】本実施形態に係るドアクローザ用ストップ装置が組み込まれたドアクローザの全体構成を示す斜視図である。
【図２】本実施形態に係るドアクローザ用ストップ装置の外観を示す図である。
【図３】図２で示した本実施形態に係るドアクローザ用ストップ装置の縦断面を示す図である。
【図４】本実施形態に係るドアクローザ用ストップ装置の要部を示した縦断面部分拡大図である。
【図５】本実施形態に係るドアクローザ用ストップ装置の動作を説明するための図であって、図４中の符号Ｖ−Ｖ断面を示す図であり、図中の分図（ａ）は、ストップ機構が解除された状態を示し、分図（ｂ）は、ストップ機構が機能する直前の状態を示し、分図（ｃ）は、ストップ機構が機能した状態を示している。
【発明を実施するための形態】
【００１２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１３】
以下、本実施形態に係るドアクローザ用ストップ装置の形態例について、図面を参酌しつつ説明する。ここで、図１は、本実施形態に係るドアクローザ用ストップ装置が組み込まれたドアクローザの全体構成を示す斜視図である。
【００１４】
図１には、本実施形態に係るドアクローザ用ストップ装置が組み込まれたドアクローザが、使用状態として示されている。ドアクローザは、ドアＤの枠体の上枠Ｗに下方から取り付けられるブラケット１と、ドアＤに取り付けられるドアクローザ本体２と、ブラケット１とドアクローザ本体２とを連結するためのリンク３およびアーム４とを備えている。ブラケット１とリンク３とは、枢着部Ａにて回転可能に連結され、リンク３とアーム４とは、枢着部Ｂにて回転可能に連結され、アーム４とドアクローザ本体２とは、枢着部Ｃにて回転可能に連結されている。そして、ドアＤが開かれるとドアクローザ本体２に内蔵された図示しないバネが圧縮され、そのバネの復元力によってドアＤの閉じ動作が行われる。なお、ブラケット１とリンク３、リンク３とアーム４、およびアーム４とドアクローザ本体２は、ドアＤの開閉動作に連動して相対回転する一対のドアクローザ部品に相当する。
【００１５】
かかる構成を有するドアクローザにおいて、ドアＤをある一定の開放位置に保持するために用いられる装置がドアクローザ用ストップ装置１０であり、本実施形態においては、ブラケット１とリンク３、およびブラケット１とリンク３との連結部分（枢着部Ａ）に相当する部材が、本実施形態に係るドアクローザ用ストップ装置１０を構成している。以下、図２〜図５を参照図面に加えることで、本実施形態に係るドアクローザ用ストップ装置１０の具体的構成を説明する。
【００１６】
図２は、本実施形態に係るドアクローザ用ストップ装置の外観を示す図であり、図３は、図２で示した本実施形態に係るドアクローザ用ストップ装置の縦断面を示す図である。また、図４は、本実施形態に係るドアクローザ用ストップ装置の要部を示した縦断面部分拡大図であり、図５は、本実施形態に係るドアクローザ用ストップ装置の動作を説明するための図であって、図４中の符号Ｖ−Ｖ断面を示す図であり、図中の分図（ａ）は、ストップ機構が解除された状態を示し、分図（ｂ）は、ストップ機構が機能する直前の状態を示し、分図（ｃ）は、ストップ機構が機能した状態を示している。
【００１７】
本実施形態に係るドアクローザ用ストップ装置１０は、図１に示すように、ドアＤの上枠Ｗに取り付けられるブラケット１と、ドアＤに取り付けられるドアクローザ本体２に対して回転可能に設けられるアーム４に接続するリンク３と、ブラケット１とリンク３との連結部分に設けられる枢着部Ａと、を有して構成されている。ブラケット１とリンク３は、図２中の符号αで示されるブラケット１に対するリンク３の回転動作の中心軸線を回転中心として、相対的な回転動作を行うことが可能となっている。
【００１８】
また、枢着部Ａには、上述した回転動作のための機構に加えて、ドアＤをある一定の開放位置に保持するために用いられるストップ機構２０が形成されており、かかる機構の詳細構造が、図３および図４に示されている。まず、図３を参照して、本実施形態に係るストップ機構２０の詳細な構成について説明する。
【００１９】
本実施形態に係るストップ機構２０は、リンク３に固定接続するとともに、ブラケット１に対するリンク３の回転動作の中心軸線α方向に開口する開口部２１ａを備える機構本体部２１と、機構本体部２１が備える開口部２１ａの内周面に形成された第一の係止部としてのセレーション２１ｂに噛み合うことで位置決め固定される略中空円筒形状をした係止軸としてのセレーション軸２２と、セレーション軸２２の略中空円筒形状の中空内部に貫通して設けられるとともに、ブラケット１が固定接続されるストップ軸２３と、を備えて構成されている。
【００２０】
機構本体部２１に形成された開口部２１ａの内周面の上方側には、セレーション２１ｂが形成されている。一方、セレーション軸２２の外周側上方には、開口部２１ａに形成されたセレーション２１ｂと噛み合う第二の係止部としてのセレーション２２ｂが形成されており、通常状態においては、両セレーション２１ｂ，２２ｂは噛み合った状態となっている。
【００２１】
また、セレーション軸２２の略中空円筒形状の中空内部に貫通して設けられるストップ軸２３は、図３〜図５に示されるように、ブラケット１に対するリンク３の回転動作の中心軸線α方向に直交する方向に開口した貫通孔２３ａを有している。この貫通孔２３ａの内部には、１つの弾性体としてのコイルバネ２４と、当該コイルバネ２４の両端部に配置された一対の係止部材としての一対のボール２５が挿入設置されている。
【００２２】
一対のボール２５のそれぞれは、貫通孔２３ａの内方側でコイルバネ２４と接しており、一方、貫通孔２３ａの外方側でセレーション軸２２の略中空円筒形状の中空内部の壁面と接している。また、本実施形態に係るコイルバネ２４は、高い弾性力を有しており、この弾性力によって、一対のボール２５は、常にセレーション軸２２の略中空円筒形状の中空内部の壁面に向けて押圧力を受けている。
【００２３】
さらに、セレーション軸２２は、略中空円筒形状の中空内部の壁面に一対のボール２５が係止可能な一対の係止凹部２２ａを備えている（図５参照）。したがって、図５中の分図（ａ）で示すように、一対のボール２５が一対の係止凹部２２ａに嵌まり込んでいないときには、セレーション軸２２に対してストップ軸２３が回転可能となっている。つまり、セレーション軸２２に対して機構本体部２１を介して固定接続されたリンク３と、ストップ軸２３に対して固定接続されたブラケット１とは、中心軸線αを回転中心として相対的な回転動作を行うことが可能となっている。
【００２４】
また、セレーション軸２２に対してストップ軸２３が回転して、図５中の分図（ｂ）の状態から分図（ｃ）の状態に移行して、一対のボール２５が一対の係止凹部２２ａに嵌まり込むと、セレーション軸２２に対してストップ軸２３が回転停止状態となる。つまり、セレーション軸２２に対して機構本体部２１を介して固定接続されたリンク３と、ストップ軸２３に対して固定接続されたブラケット１とは、中心軸線αを回転中心とした相対的な回転動作が停止された状態となる。
【００２５】
さらに、図５中の分図（ｃ）の状態から外力が加わることで一対のボール２５が一対の係止凹部２２ａに嵌まり込んだ状態が解除され、図５中の分図（ｂ）の状態や図５中の分図（ａ）の状態へと移行すると、再びセレーション軸２２に対してストップ軸２３が回転可能となる。つまり、上述した停止状態が解除されて、セレーション軸２２に対して機構本体部２１を介して固定接続されたリンク３と、ストップ軸２３に対して固定接続されたブラケット１とが、中心軸線αを回転中心として相対的な回転動作を行うことが可能となる。
【００２６】
上述したように、本実施形態では、枢着部Ａがストップ機構２０を有し、当該ストップ機構２０によって、ブラケット１に対して回転自在に設けられるリンク３が所定の位置で回転動作を停止するように構成されている。そして、かかる構成は、一対のボール２５が一対の係止凹部２２ａに嵌まり込むことで、ブラケット１に対するリンク３の所定位置での回転動作の停止が行われるという、部品点数が少なくコンパクト化された装置構成で実現されている。すなわち、本実施形態に係るドアクローザ用ストップ装置１０によれば、部品点数を極力少なくするとともに装置の小型化を図ることができる新たなドアクローザ用ストップ装置１０を提供することが可能となっている。
【００２７】
なお、本実施形態に係るドアクローザ用ストップ装置１０では、セレーション軸２２に対して機構本体部２１を介して固定接続されたリンク３と、ストップ軸２３に対して固定接続されたブラケット１とが、中心軸線αを回転中心とした相対的な回転動作を停止する停止位置を任意に変更することが可能となっている。すなわち、本実施形態では、ストップ軸２３の下方側に止めネジ２７が設置されており、この止めネジ２７がストップ軸２３に対して締め込まれた図３で示した通常状態の場合、ストップ軸２３は、セレーション軸２２の略中空円筒形状の中空内部での回転動作は維持しながらも、機構本体部２１とセレーション軸２２との両セレーション２１ｂ，２２ｂを介した噛み合い固定状態は維持されることとなる。
【００２８】
このような通常状態で、図５中の分図（ｃ）で示すように、ストップ機構２０が機能した状態とすると、セレーション軸２２に対するストップ軸２３の位置決めが行われる。この状態から止めネジ２７を緩めると、図４で示す状態となり、機構本体部２１に対してセレーション軸２２が上方向に移動可能な状態となる。この図４で示す状態から、セレーション軸２２を上方に移動させて機構本体部２１とセレーション軸２２との両セレーション２１ｂ，２２ｂの噛み合い状態を解除し、機構本体部２１とセレーション軸２２とを中心軸線αに対して所望の角度に相対移動して再度両セレーション２１ｂ，２２ｂを噛み合わせれば、ストップ機構２０が機能する位置を所望の位置に変更することができる。このようにしてストップ機構２０が機能する位置を所望の位置に変更した後、止めネジ２７を締め付けると、再び図３で示すような通常状態、すなわち、ストップ軸２３が、セレーション軸２２の略中空円筒形状の中空内部での回転動作は維持しながらも、機構本体部２１とセレーション軸２２との両セレーション２１ｂ，２２ｂを介した噛み合い固定状態を維持することとなる。
【００２９】
以上、本発明の好適な実施形態について説明したが、本発明の技術的範囲は上記実施形態に記載の範囲には限定されない。上記実施形態には、多様な変更又は改良を加えることが可能である。
【００３０】
例えば、上述した実施形態では、ストップ軸２３に形成された貫通孔２３ａの内部に対して設置された１つの弾性体には、コイルバネ２４が採用されていた。しかしながら、本発明では、コイルバネ２４と同様の機能を発揮するものであれば、あらゆる種類の弾性体を適用することが可能である。例えば、皿バネを複数枚積層したものを貫通孔２３ａの内部に設置することで、一対のボール２５に対して弾性力を及ぼすように構成することができる。
【００３１】
その様な変更又は改良を加えた形態も本発明の技術的範囲に含まれ得ることが、特許請求の範囲の記載から明らかである。
【符号の説明】
【００３２】
１  ブラケット、２  ドアクローザ本体、３  リンク、４  アーム、１０  ドアクローザ用ストップ装置、２０  ストップ機構、２１  機構本体部、２１ａ  開口部、２１ｂ  第一の係止部としてのセレーション、２２  セレーション軸、２２ａ  係止凹部、２２ｂ  第二の係止部としてのセレーション、２３  ストップ軸、２３ａ  貫通孔、２４  コイルバネ、２５  ボール、２７  止めネジ、Ａ，Ｂ，Ｃ  枢着部、Ｄ  ドア、Ｗ  上枠、α  中心軸線。
【図１】
2018119258.tif 000003
【図２】
2018119258.tif 000004
【図３】
2018119258.tif 000005
【図４】
2018119258.tif 000006
【図５】
2018119258.tif 000007